(57)【要約】【課題】垂直磁気記録方式で信号が記録された記録媒体から読み出された信号を再生処理する際のエラーレートを改善することができる信号再生処理回路、磁気記憶装置、及び信号再生処理方法を提供する。【解決手段】信号増幅器３１が、記録媒体から読み出された信号を増幅し、波形等化器３２が、波形等化目標記憶部３４に予め記憶されている、（１−Ｄ）を含まない波形等化目標を用いて、上記増幅された信号に対して波形等化処理を行い、畳込復号器３３が、上記の波形等化処理で用いられた波形等化目標を用いて、波形等化処理された信号を畳み込み復号して出力する。【選択図】図２
2010079992.tif 000002
【特許請求の範囲】
【請求項１】
垂直磁気記録方式で信号が記録された記録媒体から読み出された信号を再生処理する信号再生処理回路であって、
１ビット遅延演算子をＤとして、前記読み出された信号に対して、予め記憶部に記憶された、（１−Ｄ）を含まない波形等化目標を用いて、波形等化処理を行う波形等化部を備える
ことを特徴とする信号再生処理回路。
【請求項２】
前記波形等化目標が２＋６Ｄ−Ｄ3 又はその整数倍である
ことを特徴とする請求項１記載の信号再生処理回路。
【請求項３】
前記波形等化目標が１＋３Ｄ−Ｄ3 又はその整数倍である
ことを特徴とする請求項１記載の信号再生処理回路。
【請求項４】
前記波形等化目標が３＋６Ｄ−Ｄ3 又はその整数倍である
ことを特徴とする請求項１記載の信号再生処理回路。
【請求項５】
前記波形等化目標が２＋５Ｄ−Ｄ3 又はその整数倍である
ことを特徴とする請求項１記載の信号再生処理回路。
【請求項６】
前記波形等化目標が３＋７Ｄ−２Ｄ3 又はその整数倍である
ことを特徴とする請求項１記載の信号再生処理回路。
【請求項７】
垂直磁気記録方式で信号が記録された記録媒体から読み出された信号を再生処理する信号再生処理回路を備える磁気記憶装置であって、
前記信号再生処理回路が、１ビット遅延演算子をＤとして、前記読み出された信号に対して、予め記憶部に記憶された、（１−Ｄ）を含まない波形等化目標を用いて、波形等化処理を行う波形等化部を備える
ことを特徴とする磁気記憶装置。
【請求項８】
前記波形等化目標が３＋６Ｄ−Ｄ3又はその整数倍である
ことを特徴とする請求項７記載の磁気記憶装置。
【請求項９】
前記波形等化目標が１＋３Ｄ−Ｄ3 又はその整数倍である
ことを特徴とする請求項７記載の磁気記憶装置。
【請求項１０】
垂直磁気記録方式で信号が記録された記録媒体から読み出された信号を再生処理する信号再生処理回路における信号再生処理方法であって、
前記信号再生処理回路が、１ビット遅延演算子をＤとして、前記読み出された信号に対して、予め記憶部に記憶された、（１−Ｄ）を含まない波形等化目標を用いて、波形等化処理を行う
ことを特徴とする信号再生処理方法。
【発明の詳細な説明】
【技術分野】
【０００１】
本発明は、信号再生処理回路、磁気記憶装置、及び信号再生処理方法に関し、特に、垂直磁気記録方式を用いて信号が記録された記録媒体から読み出された信号を再生する際のエラーレートを改善することができる信号再生処理回路、磁気記憶装置、及び信号再生処理方法に関する。
【背景技術】
【０００２】
面内記録方式を用いる磁気記憶装置は、記録媒体上の磁化状態の変化点（磁化反転点）を読み出すので、記録媒体から読み出された信号を再生する際には、微分（１−Ｄ）を含む波形等化目標を用いて信号を波形等化処理する。一方、垂直磁気記録方式を用いる磁気記憶装置は、記録媒体上の磁化状態をそのまま再生するので、本来、微分（１−Ｄ）を含んだ波形等化目標を用いる必要がない。しかし、従来は、面内記録方式との互換性を考慮して、垂直磁気記録方式を用いた磁気記憶装置においても、磁気記録媒体から読み出された信号に対して微分（１−Ｄ）を含む波形等化目標を用いた波形等化処理を行うことによって、信号再生処理を実行していた。ここで、Ｄは１ビット遅延演算子であり、ｅ−ｊωｔを意味する。
【０００３】
なお、ランレングス・リミテッド（ＲＬＬ）符号化チャネルにおいてアナログ信号の並列最大尤度（ＭＬ）処理を行う方法であって、アナログ信号を多項式（１−Ｄ）（１−Ｄ）3 に対応するＥＥＰＲ４パルス波形に等化する方法が提案されている。
【特許文献１】特開平９−７３１１号公報
【発明の開示】
【発明が解決しようとする課題】
【０００４】
垂直磁気記録方式を用いる磁気記憶装置において、微分（１−Ｄ）を含む波形等化目標を用いて信号の波形等化処理を行うことによって信号再生処理を実行すると、エラーレートが悪化する。エラーレートが悪化するのは、垂直磁気記録方式で信号が記録された記録媒体から読み出された信号を微分（１−Ｄ）を含む波形等化目標を用いて波形等化処理すると、上記読み出された信号の低周波数領域のスペクトラムが小さくなるので、Ｓ／Ｎ比（信号対雑音比）が悪くなるからである。
【０００５】
本発明は、垂直磁気記録方式で信号が記録された記録媒体から読み出された信号を再生処理する際のエラーレートを改善することができる信号再生処理回路の提供を目的とする。
【０００６】
また、本発明は、垂直磁気記録方式で信号が記録された記録媒体から読み出された信号を再生処理する際のエラーレートを改善することができる磁気記憶装置の提供を目的とする。
【０００７】
また、本発明は、垂直磁気記録方式で信号が記録された記録媒体から読み出された信号を再生処理する際のエラーレートを改善することができる信号再生処理方法の提供を目的とする。
【課題を解決するための手段】
【０００８】
本信号再生処理回路は、垂直磁気記録方式で信号が記録された記録媒体から読み出された信号を再生処理する信号再生処理回路であって、１ビット遅延演算子をＤとして、前記読み出された信号に対して、予め記憶部に記憶された、（１−Ｄ）を含まない波形等化目標を用いて、波形等化処理を行う波形等化部を備える。
【０００９】
また、本磁気記憶装置は、垂直磁気記録方式で信号が記録された記録媒体から読み出された信号を再生処理する信号再生処理回路を備える磁気記憶装置であって、前記信号再生処理回路が、１ビット遅延演算子をＤとして、前記読み出された信号に対して、予め記憶部に記憶された、（１−Ｄ）を含まない波形等化目標を用いて、波形等化処理を行う波形等化部を備える。
【００１０】
また、本信号再生処理方法は、垂直磁気記録方式で信号が記録された記録媒体から読み出された信号を再生処理する信号再生処理回路における信号再生処理方法であって、前記信号再生処理回路が、１ビット遅延演算子をＤとして、前記読み出された信号に対して、予め記憶部に記憶された、（１−Ｄ）を含まない波形等化目標を用いて、波形等化処理を行う。
【発明の効果】
【００１１】
本信号再生処理回路、本磁気記憶装置、及び本信号再生処理方法は、垂直磁気記録方式で信号が記録された記録媒体から読み出された信号に対して、（１−Ｄ）を含まない波形等化目標を用いて波形等化処理を行う。従って、本信号再生処理回路、本磁気記憶装置、及び本信号再生処理方法によれば、上記記録媒体から読み出された信号を再生する際のエラーレートを改善することができる。
【発明を実施するための最良の形態】
【００１２】
図１は、本実施形態の磁気記録再生装置の構成例を示す図である。本実施形態の磁気記録再生装置は、磁気記憶装置であって、垂直磁気記録方式で信号が記録された記録媒体４から読み出された信号を再生処理する。図１に示す磁気記録再生装置は、ＲＬＬ（ランレングス・リミテッド）符号化器１、磁気ヘッド２、信号再生処理回路３を備える。
【００１３】
ＲＬＬ符号化器１は、ユーザデータに対してランレングス制限符号を用いた符号化処理を行って、記録媒体４へ書き込む対象とする信号を出力する。磁気ヘッド２は、ＲＬＬ符号化器１が出力した信号を垂直磁気記録方式で記録媒体４へ書き込む。また、磁気ヘッド２は、記録媒体４から該記録媒体４に書き込まれている信号を読み出して出力する。磁気ヘッド２は、本実施形態の磁気記録再生装置が備える、図示を省略するＭＰＵ（Micro processing Unit ）等の所定の制御手段の指示に従って、上述した記録媒体４への信号の書き込み処理、記録媒体４からの信号の読み出し処理を実行する。なお、他の実施形態の磁気記録再生装置によれば、ＲＬＬ符号化器１以外の任意の符号化器を用いることができる。
【００１４】
信号再生処理回路３は、磁気ヘッド２によって読み出された信号を再生処理する。具体的には、信号再生処理回路３は、１ビット遅延演算子をＤとして、上記読み出された信号に対して、予め波形等化目標記憶部３４（後述する図２を参照）に記憶された、（１−Ｄ）を含まない波形等化目標を用いて、波形等化処理を行う。また、信号再生処理回路３は、波形等化処理された信号を上記波形等化目標を用いて畳み込み復号し、畳み込み復号された信号を再生信号として出力する。図１に示す磁気記録再生装置は、微分（１−Ｄ）を含まない波形等化目標を用いて信号の波形等化処理を行うので、Ｓ／Ｎ比の悪化を防止できる。その結果、微分（１−Ｄ）を含む波形等化目標を用いて信号の波形等化処理を行う場合のエラーレートと比べて、エラーレートを改善することが可能となる。
【００１５】
図２は、図１に示す磁気記録再生装置が備える信号再生処理回路の構成例を示す図である。図１中に示す信号再生処理回路は、信号増幅器３１、波形等化器３２、畳込復号器３３、波形等化目標記憶部３４を備える。
【００１６】
信号増幅器３１は、磁気ヘッド２によって読み出されて出力された信号を増幅する。波形等化器３２は、増幅された信号に対して、予め波形等化目標記憶部３４に記憶された、（１−Ｄ）を含まない波形等化目標を用いて、波形等化処理を行う。具体的には、波形等化器３２は、磁気ヘッド２によって読み出された信号の該磁気ヘッド２からの出力から波形等化器３２の出力までの系の伝達関数が上記波形等化目標となるように、上記増幅された信号を波形等化する。波形等化器３２は、例えば、波形等化目標記憶部３４に予め記憶された、２＋６Ｄ−Ｄ3 又はその整数倍の波形等化目標を用いて波形等化処理を行う。波形等化器３２が、例えば、波形等化目標記憶部３４に予め記憶された、１＋３Ｄ−Ｄ3 又はその整数倍の波形等化目標を用いて波形等化処理を行うようにしてもよい。また、波形等化器３２が、例えば、波形等化目標記憶部３４に予め記憶された、３＋６Ｄ−Ｄ3 又はその整数倍の波形等化目標を用いて波形等化処理を行うようにしてもよい。また、波形等化器３２が、例えば、波形等化目標記憶部３４に予め記憶された、２＋５Ｄ−Ｄ3 又はその整数倍の波形等化目標を用いて波形等化処理を行うようにしてもよい。また、波形等化器３２が、例えば、波形等化目標記憶部３４に予め記憶された、３＋７Ｄ−２Ｄ3 又はその整数倍の波形等化目標を用いて波形等化処理を行うようにしてもよい。なお、波形等化器３２が、波形等化目標記憶部３４に予め記憶された波形等化目標のうち、現時点における垂直磁気記録における規格化線密度であるＫｐに応じたエラーレートが最も低くなる波形等化目標を選択した上で、該選択された波形等化目標を用いて波形等化処理を行うようにしてもよい。
【００１７】
畳込復号器３３は、波形等化器によって波形等化処理された信号を該波形等化処理に用いられた波形等化目標を用いて畳み込み復号して出力する。畳込復号器３３は、例えば、ビタビ復号器や反復復号器等である。波形等化目標記憶部３４には、上述した（１−Ｄ）を含まない波形等化目標が予め記憶される。
【００１８】
図３は、本実施形態の信号再生処理フローの一例を示す図である。まず、磁気ヘッド２が、記録媒体４から信号を読み出す（ステップＳ１）。次に、信号増幅器３１が、ステップＳ１において読み出された信号を増幅する（ステップＳ２）。続いて、波形等化器３２が、波形等化目標記憶部３４に予め記憶されている、（１−Ｄ）を含まない波形等化目標を用いて、ステップＳ２において増幅された信号に対して波形等化処理を行う（ステップＳ３）。次に、畳込復号器３３が、ステップＳ３において用いられた波形等化目標を用いて、上記波形等化処理された信号を畳み込み復号し（ステップＳ４）、畳み込み復号された信号を出力する。
【００１９】
図４及び図５は、本実施形態の磁気記録再生装置による信号再生処理の効果を説明する表を示す図である。図４、図５中の表の横軸は信号再生処理に用いる波形等化目標である。従来技術で用いられる波形等化目標である（ａ＋ｂＤ＋ｃＤ2 ＋ｄＤ3 ）（１−Ｄ）と、本実施形態の磁気記録再生装置で用いられる波形等化目標の例である２＋６Ｄ−Ｄ3 、１＋３Ｄ−Ｄ3 、３＋６Ｄ−Ｄ3 、２＋５Ｄ−Ｄ3 、３＋７Ｄ−２Ｄ3 の各々が図４、図５中の表の横軸に示される。図４、図５中の表の縦軸は、各々の波形等化目標を用いて信号再生処理した際のエラーレート（ＳＥＲ：Signal Error Rate ）を示す。図４は、Ｋｐ＝１．２の場合の、各々の波形等化目標に対応するエラーレートを示し、図５は、Ｋｐ＝１．３の場合の、各々の波形等化目標に対応するエラーレートを示す。
【００２０】
図４、図５を参照すると、本実施形態の磁気記録再生装置で用いられる波形等化目標を用いて信号再生処理を行うと、従来技術で用いられる波形等化目標を用いて信号再生処理を行った場合のエラーレートに比べて、エラーレートを０．５桁以上改善することができることがわかる。
【００２１】
以上から把握できるように、本実施形態の特徴を述べると以下の通りである。
【００２２】
（付記１）垂直磁気記録方式で信号が記録された記録媒体から読み出された信号を再生処理する信号再生処理回路であって、
１ビット遅延演算子をＤとして、前記読み出された信号に対して、予め記憶部に記憶された、（１−Ｄ）を含まない波形等化目標を用いて、波形等化処理を行う波形等化部を備える
ことを特徴とする信号再生処理回路。
【００２３】
（付記２）前記波形等化目標が２＋６Ｄ−Ｄ3 又はその整数倍である
ことを特徴とする付記１記載の信号再生処理回路。
【００２４】
（付記３）前記波形等化目標が１＋３Ｄ−Ｄ3 又はその整数倍である
ことを特徴とする付記１記載の信号再生処理回路。
【００２５】
（付記４）前記波形等化目標が３＋６Ｄ−Ｄ3 又はその整数倍である
ことを特徴とする付記１記載の信号再生処理回路。
【００２６】
（付記５）前記波形等化目標が２＋５Ｄ−Ｄ3 又はその整数倍である
ことを特徴とする付記１記載の信号再生処理回路。
【００２７】
（付記６）前記波形等化目標が３＋７Ｄ−２Ｄ3 又はその整数倍である
ことを特徴とする付記１記載の信号再生処理回路。
【００２８】
（付記７）垂直磁気記録方式で信号が記録された記録媒体から読み出された信号を再生処理する信号再生処理回路を備える磁気記憶装置であって、
前記信号再生処理回路が、１ビット遅延演算子をＤとして、前記読み出された信号に対して、予め記憶部に記憶された、（１−Ｄ）を含まない波形等化目標を用いて、波形等化処理を行う波形等化部を備える
ことを特徴とする磁気記憶装置。
【００２９】
（付記８）前記波形等化目標が２＋６Ｄ−Ｄ3 又はその整数倍である
ことを特徴とする付記７記載の磁気記憶装置。
【００３０】
（付記９）前記波形等化目標が１＋３Ｄ−Ｄ3 又はその整数倍である
ことを特徴とする付記７記載の磁気記憶装置。
【００３１】
（付記１０）前記波形等化目標が３＋６Ｄ−Ｄ3 又はその整数倍である
ことを特徴とする付記７記載の磁気記憶装置。
【００３２】
（付記１１）前記波形等化目標が２＋５Ｄ−Ｄ3 又はその整数倍である
ことを特徴とする付記７記載の磁気記憶装置。
【００３３】
（付記１２）前記波形等化目標が３＋７Ｄ−２Ｄ3 又はその整数倍である
ことを特徴とする付記７記載の磁気記憶装置。
【００３４】
（付記１３）垂直磁気記録方式で信号が記録された記録媒体から読み出された信号を再生処理する信号再生処理回路における信号再生処理方法であって、
前記信号再生処理回路が、１ビット遅延演算子をＤとして、前記読み出された信号に対して、予め記憶部に記憶された、（１−Ｄ）を含まない波形等化目標を用いて、波形等化処理を行う
ことを特徴とする信号再生処理方法。
【００３５】
（付記１４）前記波形等化目標が２＋６Ｄ−Ｄ3 又はその整数倍である
ことを特徴とする付記１３記載の信号再生処理方法。
【００３６】
（付記１５）前記波形等化目標が１＋３Ｄ−Ｄ3 又はその整数倍である
ことを特徴とする付記１３記載の信号再生処理方法。
【００３７】
（付記１６）前記波形等化目標が３＋６Ｄ−Ｄ3 又はその整数倍である
ことを特徴とする付記１３記載の信号再生処理方法。
【００３８】
（付記１７）前記波形等化目標が２＋５Ｄ−Ｄ3 又はその整数倍である
ことを特徴とする付記１３記載の信号再生処理方法。
【００３９】
（付記１８）前記波形等化目標が３＋７Ｄ−２Ｄ3 又はその整数倍である
ことを特徴とする付記１３記載の信号再生処理方法。
【図面の簡単な説明】
【００４０】
【図１】本実施形態の磁気記録再生装置の構成例を示す図である。
【図２】信号再生処理回路の構成例を示す図である。
【図３】本実施形態の信号再生処理フローの一例を示す図である。
【図４】本実施形態の磁気記録再生装置による信号再生処理の効果を説明する表を示す図である。
【図５】本実施形態の磁気記録再生装置による信号再生処理の効果を説明する表を示す図である。
【符号の説明】
【００４１】
１  ＲＬＬ符号化器
２  磁気ヘッド
３  信号再生処理回路
４  記録媒体
３１  信号増幅器
３２  波形等化器
３３  畳込復号器
３４  波形等化目標記憶部
【図１】
2010079992.tif 000003
【図２】
2010079992.tif 000004
【図３】
2010079992.tif 000005
【図４】
2010079992.tif 000006
【図５】
2010079992.tif 000007